(57)【要約】      （修正有）【課題】内容物の残量が少なくなった場合でもその取り出しを容易に行うことができる収納袋を提供する。【解決手段】第１メインノッチ１３ａまたは第２メインノッチ１３ｂを起点として収納袋１０の上辺部分をほぼ直線的に引き裂いて切り取ることにより１回目の開封が行えることに加え、１回目の開封作業が完了した後の収納袋１０ａの第１サブノッチ１３ｃが第２サブノッチ１３ｄと合致するように該収納袋１０ａを折り曲げて重ねた後に合致させた第１サブノッチ１３ｃ及び第２サブノッチ１３ｄを基点として収納袋１０ａの右辺部分及び前記開封口近傍部分を折り曲げ状態のままほぼ直線的に引き裂いて切り取ることにより２回目の開封を行うことができる。【選択図】図１
2005162241.tif 000002
【特許請求の範囲】
【請求項１】
２軸延伸フィルムを含む少なくとも１枚のラミネートフィルムを重ね合わせて必要箇所をシールすることにより構成され、収納袋の一部分を引き裂いて開封するためのメインノッチを備えた収納袋であって、
収納袋を折り曲げて重ねた状態で互いの重なり部分の端縁に存する開封手段を利用して収納袋の他の部分を折り曲げ状態のまま引き裂いて開封できるようにした、
ことを特徴とする収納袋。
【請求項２】
開封手段は、重なり部分の両方の端縁それぞれに設けられた少なくとも１組のサブノッチから成る、
ことを特徴とする請求項１に記載の収納袋。
【請求項３】
収納袋は矩形の正面形状を有し、対を成すサブノッチの一方は収納袋の１つの辺に設けられ、他方のサブノッチは該辺と隣接する他の辺に設けられており、対を成すサブノッチの両方から隣接する２辺の境界までの距離は等しい、
ことを特徴とする請求項２に記載の収納袋。
【請求項４】
サブノッチは２組以上で、対を成すサブノッチの両方から隣接する２辺の境界までの距離は各組毎に異なる、
ことを特徴とする請求項３に記載の収納袋。
【請求項５】
開封手段は、重なり部分の一方の端縁に設けられた少なくとも１つのサブノッチと重なり部分の他方の端縁に設けられた易引裂部とから成る、
ことを特徴とする請求項１に記載の収納袋。
【請求項６】
易引裂部は、多数の微細孔または傷痕を含んだ部分、または、硬質粒状物を含むコーティング層から成る、
ことを特徴とする請求項５に記載の収納袋。
【請求項７】
収納袋は矩形の正面形状を有し、易剥離部は収納袋の１つの辺に設けられ、サブノッチは該辺に隣接する他の辺に設けられている、
ことを特徴とする請求項５または６に記載の収納袋。
【請求項８】
サブノッチは２つ以上で、各サブノッチから隣接する２辺の境界までの距離は異なる、
ことを特徴とする請求項７に記載の収納袋。
【請求項９】
収納袋を構成するラミネートフィルムには、フィルム１枚当たりのフィルム流れ方向の引裂強さとフィルム流れ方向と直交する方向の引裂強さとの加算値がＪＩＳ  Ｋ７１２８−１で規定される引裂強さ試験に依る測定方法で３５０Ｎ／ｍｍ（Ｎはニュートン）以下となるものが使用されている、
ことを特徴とする請求項１〜８の何れか１項に記載の収納袋。
【発明の詳細な説明】
【技術分野】
【０００１】
本発明は、食品等を収納するための収納袋に関し、特に、切り取り開封用のノッチを有する収納袋に関する。
【背景技術】
【０００２】
袋の一部を切り取ることで開封を可能とした収納袋は、例えば、引裂可能な２枚の矩形状プラスチックフィルムを重ね合わせてその４辺に所定幅でヒートシールを施すことによって構成されており、左右一方の辺の上部に切り取り開封用のノッチ（切り欠き）を有するか、或いは、左右両辺の上部に対向して切り取り開封用のノッチを有している。
【０００３】
この収納袋にあっては、前記ノッチを起点として収納袋の上辺部分を引き裂いて切り取ることにより開封することができ、開封状態では収納袋の上部に形成された開封口を通じて内容物を適宜取り出すことができる。
【特許文献１】特開２００２−１０４４３７号公報
【特許文献２】特開２００３−５４５８０号公報
【発明の開示】
【発明が解決しようとする課題】
【０００４】
前記の収納袋では、ノッチを利用して開封口を収納袋の上部のみに形成するものであるため、内容物の残量が少なくなると内部に残った内容物を前記開封口から取り出すことが難しい。とりわけ、内容物が液分を含む惣菜等の食品である場合には、該食品が袋内面に付着するためにその取り出しは困難を極める。
【０００５】
本発明は前記事情に鑑みて創作されたもので、その目的とするところは、内容物の残量が少なくなった場合でもその取り出しを容易に行うことができる収納袋を提供することにある。
【課題を解決するための手段】
【０００６】
前記目的を達成するため、本発明は、２軸延伸フィルムを含む少なくとも１枚のラミネートフィルムを重ね合わせて必要箇所をシールすることにより構成され、収納袋の一部分を引き裂いて開封するためのメインノッチを備えた収納袋であって、収納袋を折り曲げて重ねた状態で互いの重なり部分の端縁に存する開封手段を利用して収納袋の他の部分を折り曲げ状態のまま引き裂いて開封できるようにした、ことをその特徴とする。
【０００７】
この収納袋によれば、メインノッチを基点として収納袋の一部分を引き裂いて開封することができることに加え、収納袋を折り曲げて重ねた状態で互いの重なり部分の端縁に存する開封手段を利用して収納袋の他の部分を折り曲げ状態のまま引き裂いて開封することができる。
【発明の効果】
【０００８】
本発明によれば、内容物の残量が少なくなってメインノッチによる開封口からの取り出しが困難になった場合でも、開封手段を利用して収納袋の他の部分を開封することにより内部に残った内容物を取り出し易くすることができる。
【０００９】
本発明の前記目的とそれ以外の目的と、構成特徴と、作用効果は、以下の説明と添付図面によって明らかとなる。
【発明を実施するための最良の形態】
【００１０】
図１〜図７は本発明の第１実施形態に係るもので、図１は収納袋を正面側から見た図、図２〜図６は図１に示した収納袋の開封方法の説明図、図７は図１に示した収納袋に使用可能なフィルム層構造の一例を示す図である。以下の説明では、図１における上側を上、下側を下、左側を左、右側を右と表記する。
【００１１】
まず、図１を参照して収納袋の構成について説明する。
【００１２】
この収納袋１０は、矩形状の２枚のフィルム１１を重ね合わせてその４辺に所定幅でヒートシール（１２ａ〜１２ｄは上下左右辺のシール部を示す）を施すことにより構成され、正面形状は矩形を成している。図１には収納袋１０内に収納された食品等の内容物の図示を省略してあるが、前記シール部１２ａ〜１２ｄの何れか１つは袋内に食品等を収納した後に形成される。
【００１３】
収納袋１０を構成する各フィルム１１には２軸延伸フィルムとシーラントフィルムとを含む複層構造のラミネートフィルムが使用されている。各フィルム１１の厚さは７０〜１３０μｍが妥当であるが、該フィルム厚さは収納袋１０の大きさや内容物の種類等に応じて任意に設定して差し支えない。
【００１４】
前記のヒートシールは両フィルム１１を互いのシーラントフィルムが向き合うように重ねて必要部分を熱溶着することで実施され、各シール部１２ａ〜１２ｄは常人の指先の力では剥離できない強度をもってシール（接合）されている。４辺それぞれのシール部１２ａ〜１２ｄの幅寸法は１０ｍｍ前後が妥当であるが、該シール幅寸法は収納袋１０の大きさや内容物の種類等に応じて任意に設定して差し支えない。
【００１５】
また、収納袋１０の左辺シール部１２ｃの端縁には左辺上端から距離Ｌ１をおいた位置にベース状或いはＶ字状等の形状を成す第１メインノッチ（切り欠き）１３ａが形成され、左辺シール部１２ｃと対向する右辺シール部１２ｄの端縁には右辺上端から等しい距離Ｌ１をおいた位置に同様の形状を成す第２メインノッチ１３ｂが形成されている。因みに、距離Ｌ１は上辺シール部１２ａの幅寸法よりも僅かに大きい。
【００１６】
さらに、収納袋１０の左辺シール部１２ｃの端縁には左辺下端から距離Ｌ２をおいた位置に前記同様の形状を成す第１サブノッチ１３ｃが形成され、左辺シール部１２ｃと隣接する下辺シール部１２ｂの端縁には下辺左端から等しい距離Ｌ２をおいた位置に前記同様の形状を成す第２サブノッチ１３ｄが形成されている。因みに、距離Ｌ２は左辺下端から第１メインノッチ１３ａまでの距離よりも短い。
【００１７】
次に、図２〜図６を参照して前記収納袋の開封方法について説明する。
【００１８】
前記収納袋１０は、図２に示すように第１メインノッチ１３ａまたは第２メインノッチ１３ｃを起点として収納袋１０の上辺部分をほぼ直線的に引き裂いて切り取りことにより、１回目の開封を行うことができる。１回目の開封作業が完了した後の収納袋１０ａはその上辺が開封したものとなるため、該開封口を通じて内容物を適宜取り出すことができる。
【００１９】
また、前記収納袋１０は、図３に示すように１回目の開封作業が完了した後の収納袋１０ａの第１サブノッチ１３ｃが第２サブノッチ１３ｄと合致するように該収納袋１０ａの左上部分を折り曲げて重ねた後に、図４に示すように合致させた第１サブノッチ１３ｃ及び第２サブノッチ１３ｄを基点として収納袋１０ａの右辺部分及び１回目の開封作業により生じた開封口近傍部分を折り曲げ状態のままほぼ直線的に引き裂いて切り取ることにより、２回目の開封を行うことができる。２回目の開封作業が完了した後の収納袋１０ｂは図５に示すようにその上辺及び右辺が連なった状態で開封したものとなるため、図６に示すように開封後の収納袋１０ｂの一方のフィルム１１を他方から引き離す等して開封口を拡げることにより、その中に残っている内容物を余すことなく取り出すことができる。
【００２０】
１回目の開封作業では２枚のフィルム１１を同時に引き裂くのに対し、２回目の開封作業では４枚のフィルム１１を同時に引き裂く必要があるため、フィルム１１として引裂強さが大きいものを使用すると２回目の開封作業における引き裂きに大きな力を必要とし易開封性が損なわれる恐れがある。つまり、このような恐れが生じないようにするには、フィルム１１として適正な引裂強さを有するものを予め選定しておく必要がある。以下、この点について３層構造のラミネートフィルムをフィルム１１として用いた場合を例に挙げて説明する。
【００２１】
図７は３層構造のラミネートフィルムＬＦを示すもので、このラミネートフィルムＬＦは表面フィルムＢＦと中間フィルムＳＤＦとシーラントフィルムＳＦとを備え、これらフィルムはドライラミネートや押出ラミネート等の方法によりラミネートされている。因みに、図中のＳＰはヒートシールによるシール部を示す。表面フィルムＢＦには二軸延伸ポリエステルフィルムや二軸延伸ポリプロピレンフィルム等が用いられ、中間フィルムＳＤＦにはフィルム流れ方向直進カット性ナイロンフィルムや二軸延伸ナイロンフィルム等が用いられており、また、シーラントフィルムＳＦには直鎖状低密度ポリエチレンフィルム等が用いられている。
【００２２】
このようなラミネートフィルムＬＦを用いて前記収納袋１０を作成する場合には、望ましくはラミネートフィルムＬＦのフィルム流れ方向と直交する方向の端部を除く部分、即ち、軸方向性に乱れの少ない部分をフィルム基材として利用し、該フィルム基材のフィルム流れ方向とこれに直交する方向の何れか一方が収納袋１０の上辺及び下辺とほぼ平行となり、且つ、他方が収納袋１０の左辺及び右辺とほぼ平行となる向きとなるようにして前記シール部１２ａ〜１２ｄのうちの３箇所に相当する部分のヒートシールを行う。通常はフィルム基材として多数個取り可能な大きさのものが使用されるので、該フィルム基材を単位寸法に切断して１つの辺が開口したノッチ付きの収納袋を作成する。この１辺開口の収納袋の開口部分は食品等を収納した後にヒートシールにより閉じられる。
【００２３】
以上にようにして作成された収納袋１０に対して先に述べた２回目の開封作業を行うには、４枚のフィルム１１のうちの２枚をフィルム流れ方向と平行な方向に引き裂き、且つ、残りの２枚のフィルムをフィルム流れ方向と直交する方向に引き裂くための力が必要となる。要するに、２回目の開封作業を容易に行えるようにするには、フィルム１枚当たりのフィルム流れ方向の引裂強さとフィルム流れ方向と直交する方向の引裂強さとの加算値が所定値以下となるものをフィルム基材として選択する配慮が必要となる。
【００２４】
実験によれば、前記加算値がＪＩＳ  Ｋ７１２８−１で規定される引裂強さ試験に依る測定方法で３５０Ｎ／ｍｍ（Ｎはニュートン）以下となるようなフィルム基材を選択すると２回目の開封作業に伴う４枚のフィルム１１の引き裂きを容易に行うことができ、しかも、前記加算値が１５０Ｎ／ｍｍ以下のとなるようなフィルム基材を選択すると２回目の開封作業に伴う４枚のフィルム１１の引き裂きを幼児や女性等の非力な者であっても極めて容易に行えることが確認された。
【００２５】
このように、第１実施形態に係る収納袋１０によれば、第１メインノッチ１３ａまたは第２メインノッチ１３ｃを起点として収納袋１０の上辺部分をほぼ直線的に引き裂いて切り取ることにより１回目の開封が行えることに加え、１回目の開封作業が完了した後の収納袋１０ａの第１サブノッチ１３ｃが第２サブノッチ１３ｄと合致するように該収納袋１０ａを折り曲げて重ねた後に合致させた第１サブノッチ１３ｃ及び第２サブノッチ１３ｄを基点として収納袋１０ａの右辺部分及び前記開封口近傍部分を折り曲げ状態のままほぼ直線的に引き裂いて切り取ることにより２回目の開封を行うことができるので、１回目の開封後に内容物の残量が少なくなって内部に残った内容物を取り出すことが難しくなった場合でも、２回目の開封によって内部に残った内容物を余すことなく取り出すことができる利点がある。
【００２６】
また、２回目の開封作業時には４枚のフィルム１１を同時に引き裂く必要があるが、フィルム１１として適正な引裂強さを有するものを使用することにより、詳しくは、フィルム１１としてフィルム１枚当たりのフィルム流れ方向の引裂強さとフィルム流れ方向と直交する方向の引裂強さとの加算値がＪＩＳ  Ｋ７１２８−１で規定される引裂強さ試験に依る測定方法で３５０Ｎ／ｍｍ（Ｎはニュートン）以下のものを使用することにより、２回目の開封作業に伴う４枚のフィルム１１の引き裂きを容易に行うことができる。
【００２７】
尚、前述の第１実施形態では、１回目の開封作業を行った後に２回目の開封作業を行うケースを例示したが、１回目の開封を行わずに最初に２回目の開封作業を行って内容物の取り出しを行うようにしても差し支えない。
【００２８】
また、収納袋１０の左右辺上部に第１，第２メインノッチ１３ａ，１３ｂをそれぞれ設けたものを示したが、第１，第２メインノッチ１３ａ，１３ｂを何れか一方のみとしても１回目の開封作業を行うことができる。
【００２９】
図８〜図１０は本発明の第２実施形態に係るもので、図８は収納袋を正面側から見た図、図９〜図１０は図８に示した収納袋の開封方法の説明図である。以下の説明では、図８における上側を上、下側を下、左側を左、右側を右と表記する。
【００３０】
この第２実施形態に係る収納袋１０-1が第１実施形態に係る収納袋１０と異なるところは、右辺シール部１２ｄの端縁の右辺下端から距離Ｌ３をおいた位置にベース状或いはＶ字状等の形状を成す第３サブノッチ１３ｅを形成すると共に、右辺シール部１２ｄと隣接する下辺シール部１２ｂの端縁の下辺右端から等しい距離Ｌ３をおいた位置に同様の形状を成す第４サブノッチ１３ｆを形成した点と、距離Ｌ３（第３サブノッチ１３ｅの右辺下端からの距離及び第４サブノッチ１３ｆの下辺右端からの距離）を距離Ｌ２（第１サブノッチ１３ｃの左辺下端からの距離及び第２サブノッチ１３ｄの下辺左端からの距離）と一致させた点にある。他の構成は第１実施形態に係る収納袋１０と同じであるため同一符号を用いその説明を省略する。
【００３１】
この収納袋１０-1にあっては、図９に示すように１回目の開封作業が完了した後の収納袋１０ａの第３サブノッチ１３ｅが第４サブノッチ１３ｆと合致するように該収納袋１０ａの右上部分を折り曲げて重ねた後に、合致させた第３サブノッチ１３ｅ及び第４サブノッチ１３ｆを基点として収納袋１０ａの左辺部分及び１回目の開封作業により生じた開封口近傍部分を折り曲げ状態のままほぼ直線的に引き裂いて切り取ることにより、２回目の開封を行うことができる。２回目の開封作業が完了した後の収納袋１０ｃは図１０に示すようにその上辺及び左辺が連なった状態で開封したものとなるため、開封後の収納袋１０ｃの一方のフィルム１１を他方から引き離す等して開封口を拡げることにより、その中に残っている内容物を余すことなく取り出すことができる。
【００３２】
このように、第２実施形態に係る収納袋１０-1によれば、第１，第２サブノッチ１３ｃ，１３ｄと線対称となるように第３，第４サブノッチ１３ｅ，１３ｆが設けられているので、２回目の開封作業を行う際の開封場所を内容物の残留状態に応じて任意に選択できる利点がある。他の作用効果は第１実施形態に係る収納袋１０で得られる作用効果と同じである。
【００３３】
尚、前述の第２実施形態では、１回目の開封作業を行った後に２回目の開封作業を行うケースを例示したが、１回目の開封を行わずに最初に２回目の開封作業を行って内容物の取り出しを行うようにしても差し支えない。
【００３４】
また、収納袋１０-1の左右辺上部に第１，第２メインノッチ１３ａ，１３ｂをそれぞれ設けたものを示したが、第１，第２メインノッチ１３ａ，１３ｂを何れか一方のみとしても１回目の開封作業を行うことができる。
【００３５】
さらに、２組のサブノッチ（第１，第２サブノッチ１３ｃ，１３ｄの対と、第３，第４サブノッチ１３ｅ，１３ｆの対）を設けたものを示したが、３組以上のサブノッチを設ければ３以上の異なる形態にて２回目の開封を行うことができる。
【００３６】
図１１〜図１３は本発明の第３実施形態に係るもので、図１１は収納袋を正面側から見た図、図１２〜図１３は図１１に示した収納袋の開封方法の説明図である。以下の説明では、図１１における上側を上、下側を下、左側を左、右側を右と表記する。
【００３７】
この第３実施形態に係る収納袋１０-2が第２実施形態に係る収納袋１０-1と異なるところは、距離Ｌ３（第３サブノッチ１３ｅの右辺下端からの距離及び第４サブノッチ１３ｆの下辺右端からの距離）を距離Ｌ２（第１サブノッチ１３ｃの左辺下端からの距離及び第２サブノッチ１３ｄの下辺左端からの距離）よりも短くした点にある。他の構成は第２実施形態に係る収納袋１０-1と同じであるため同一符号を用いその説明を省略する。
【００３８】
この収納袋１０-2にあっては、図１２に示すように１回目の開封作業が完了した後の収納袋１０ａの第３サブノッチ１３ｅが第４サブノッチ１３ｆと合致するように該収納袋１０ａの右上部分を折り曲げて重ねた後に、合致させた第３サブノッチ１３ｅ及び第４サブノッチ１３ｆを基点として収納袋１０ａの左辺部分及び１回目の開封作業により生じた開封口近傍部分を折り曲げ状態のままほぼ直線的に引き裂いて切り取ることにより、２回目の開封を行うことができる。２回目の開封作業が完了した後の収納袋１０ｄは図１３に示すようにその上辺及び左辺が連なった状態で開封したものとなるため、開封後の収納袋１０ｄの一方のフィルム１１を他方から引き離す等して開封口を拡げることにより、その中に残っている内容物を余すことなく取り出すことができる。
【００３９】
また、第１，第２サブノッチ１３ｃ，１３ｄの位置を定めるための距離Ｌ２よりも第３，第４サブノッチ１３ｅ，１３ｆの位置を定めるための距離Ｌ３を短くしてあるので、第１，第２サブノッチ１３ｃ，１３ｄを利用して２回目の開封作業を行った後の収納袋１０ｂ（図５及び図６参照）の大きさよりも、第３，第４サブノッチ１３ｅ，１３ｆを利用して２回目の開封作業を行った後の収納袋１０ｄの大きさは小さなものとなる。
【００４０】
このように、第３実施形態に係る収納袋１０-2によれば、第１，第２サブノッチ１３ｃ，１３ｄの位置を定めるための距離Ｌ２よりも第３，第４サブノッチ１３ｅ，１３ｆの位置を定めるための距離Ｌ３を短くしてあるので、２回目の開封作業を行う際に開封後の収納袋の大きさ及び開封場所を内容物の残留状態に応じて任意に選択できる利点がある。他の作用効果は第２実施形態に係る収納袋１０-1で得られる作用効果と同じである。
【００４１】
尚、前述の第３実施形態では、１回目の開封作業を行った後に２回目の開封作業を行うケースを例示したが、１回目の開封を行わずに最初に２回目の開封作業を行って内容物の取り出しを行うようにしても差し支えない。
【００４２】
また、収納袋１０-2の左右辺上部に第１，第２メインノッチ１３ａ，１３ｂをそれぞれ設けたものを示したが、第１，第２メインノッチ１３ａ，１３ｂを何れか一方のみとしても１回目の開封作業を行うことができる。
【００４３】
さらに、２組のサブノッチ（第１，第２サブノッチ１３ｃ，１３ｄの対と第３，第４サブノッチ１３ｅ，１３ｆの対）を設けたものを示したが、３組以上のサブノッチを設ければ３以上の異なる形態にて２回目の開封を行うことができる。
【００４４】
図１４〜図１６は本発明の第４実施形態に係るもので、図１４は収納袋を正面側から見た図、図１５〜図１６は図１４に示した収納袋の開封方法の説明図である。以下の説明では、図１４における上側を上、下側を下、左側を左、右側を右と表記する。
【００４５】
この第４実施形態に係る収納袋１０-3が第３実施形態に係る収納袋１０-2と異なるところは、左辺シール部１２ｃの端縁の左辺下端から距離Ｌ３をおいた位置に第３サブノッチ１３ｅを形成すると共に、左辺シール部１２ｄと隣接する下辺シール部１２ｂの端縁の下辺左端から等しい距離Ｌ３をおいた位置に第４サブノッチ１３ｆを形成した点にある。他の構成は第３実施形態に係る収納袋１０-2と同じであるため同一符号を用いその説明を省略する。
【００４６】
この収納袋１０-3にあっては、図１５に示すように１回目の開封作業が完了した後の収納袋１０ａの第３サブノッチ１３ｅが第４サブノッチ１３ｆと合致するように該収納袋１０ａの左上部分を折り曲げて重ねた後に、合致させた第３サブノッチ１３ｅ及び第４サブノッチ１３ｆを基点として収納袋１０ａの右辺部分及び１回目の開封作業により生じた開封口近傍部分を折り曲げ状態のままほぼ直線的に引き裂いて切り取ることにより、２回目の開封を行うことができる。２回目の開封作業が完了した後の収納袋１０ｅは図１６に示すようにその上辺及び右辺が連なった状態で開封したものとなるため、開封後の収納袋１０ｅの一方のフィルム１１を他方から引き離す等して開封口を拡げることにより、その中に残っている内容物を余すことなく取り出すことができる。
【００４７】
このように、第４実施形態に係る収納袋１０-3によれば、第１サブノッチ１３ｃと第３サブノッチ１３ｅが同一側に設けられていて収納袋の左上部分を折り曲げて重ねた状態では切り取り位置を選べるようになっているので、２回目の開封作業を行う際に開封後の収納袋の大きさを内容物の残留量に応じて任意に選択できる利点がある。他の作用効果は第３実施形態に係る収納袋１０-2で得られる作用効果と同じである。
【００４８】
尚、前述の第４実施形態では、１回目の開封作業を行った後に２回目の開封作業を行うケースを例示したが、１回目の開封を行わずに最初に２回目の開封作業を行って内容物の取り出しを行うようにしても差し支えない。
【００４９】
また、収納袋１０-3の左右辺上部に第１，第２メインノッチ１３ａ，１３ｂをそれぞれ設けたものを示したが、第１，第２メインノッチ１３ａ，１３ｂを何れか一方のみとしても１回目の開封作業を行うことができる。
【００５０】
さらに、２組のサブノッチ（第１，第２サブノッチ１３ｃ，１３ｄの対と第３，第４サブノッチ１３ｅ，１３ｆの対）を設けたものを示したが、３組以上のサブノッチを設ければ３以上の異なる形態にて２回目の開封を行うことができる。
【００５１】
図１７は本発明の第５実施形態に係る収納袋を正面から見た図である。以下の説明では、図１７における上側を上、下側を下、左側を左、右側を右と表記する。
【００５２】
この第５実施形態に係る収納袋１０-4が第１実施形態に係る収納袋１０と異なるところは、下辺シール部１２ｂの端縁に沿って易引裂部１１ａを帯状に設けて第２サブノッチ１３ｄを排除した点にある。この易引裂部１１ａは多数の微細孔または傷痕を含んだ部分から成り、該易引裂部１１ａは収納袋１０-4を構成する２枚のフィルム１１の下端縁に予め形成されている。他の構成は第１実施形態に係る収納袋１０と同じであるため同一符号を用いその説明を省略する。
【００５３】
この収納袋１０-4にあっては、１回目の開封作業が完了した後の収納袋の左辺シール部１２ｃの端縁が下辺シール部１２ｂの端縁と合致するように該収納袋の左上部分を折り曲げて重ねた後、第１サブノッチ１３ｃを基点として収納袋の右辺部分及び１回目の開封作業により生じた開封口近傍部分を折り曲げ状態のままほぼ直線的に引き裂いて切り取ることにより、２回目の開封を行うことができる。２回目の開封作業が完了した後の収納袋は図５及び図６と同様にその上辺及び左辺が連なった状態で開封したものとなるため、開封後の収納袋の一方のフィルム１１を他方から引き離す等して開封口を拡げることにより、その中に残っている内容物を余すことなく取り出すことができる。
【００５４】
このように、第５実施形態に係る収納袋１０-4によれば、第２サブノッチ１３ｄを排除し該第２サブノッチ１３ｄの代わりとなる易引裂部１１ａを下辺シール部１２ｂの端縁に帯状に設けてあるので、２回目の開封を行うに際して第１実施形態に係る収納袋１０のように第１サブノッチ１３ｃと第２サブノッチ１３ｄとを位置合わせする必要がなく、この位置合わせに伴う手間を排除して２回目の開封作業の簡便性を高めることができる。他の作用効果は第１実施形態に係る収納袋１０で得られる作用効果と同じである。
【００５５】
尚、前述の第５実施形態では、左辺シール部１２ｃの端縁に第１サブノッチ１３ｃを有するものを示したが、第２実施形態で示した第３サブノッチ１３ｅを第１サブノッチ１３ｃと線対称となるように右辺に設ければ２回目の開封作業を行う際の開封場所を内容物の残留状態に応じて任意に選択できるし、第３実施形態で示したようにこの第３サブノッチ１３ｅの右辺下端からの距離を短くすれば２回目の開封作業を行う際に開封後の収納袋の大きさ及び開封場所を内容物の残留状態に応じて任意に選択できるし、第４実施形態で示したようにこの第３サブノッチ１３ｅを第１サブノッチ１３ｃと同じ辺に設ければ２回目の開封作業を行う際に開封後の収納袋の大きさを内容物の残留量に応じて任意に選択できる。
【００５６】
また、下辺シール部１２ｂの端縁に易引裂部１１ａを設けたものを示したが、左辺シール部１２ｃの端縁に同様の易引裂部１１ａを設けて第１サブノッチ１３ｃを排除しても、第２サブノッチ１３ｄと易引裂部１１ａとの協働によって２回目の開封作業を前記同様に行うことができる。第２，第３実施形態のサブノッチ構成を適用する場合には左辺シール部１２ｃと右辺シール部１２ｄの端縁に易引裂部１１ａを帯状に設けて第１サブノッチ１３ｃと第３サブノッチ１３ｅを排除すればよく、第４実施形態のサブノッチ構成を適用する場合には左辺シール部１２ｃの端縁に易引裂部１１ａを帯状に設けて第１サブノッチ１３ｃと第３サブノッチ１３ｅを排除すればよく、何れの場合もサブノッチの数を増加すれば３以上の異なる形態にて２回目の開封を行うことができる。
【００５７】
さらに、１回目の開封作業を行った後に２回目の開封作業を行うケースを例示したが、１回目の開封を行わずに最初に２回目の開封作業を行って内容物の取り出しを行うようにしても差し支えない。
【００５８】
さらに、収納袋１０-4の左右辺上部に第１，第２メインノッチ１３ａ，１３ｂをそれぞれ設けたものを示したが、第１，第２メインノッチ１３ａ，１３ｂを何れか一方のみとしても１回目の開封作業を行うことができる。
【００５９】
図１８は本発明の第６実施形態に係る収納袋を正面から見た図である。以下の説明では、図１７における上側を上、下側を下、左側を左、右側を右と表記する。
【００６０】
この第６実施形態に係る収納袋１０-5が第１実施形態に係る収納袋１０と異なるところは、１枚のフィルム１１’を上下方向の中心で折り返して上辺，左辺及び右辺に所定幅でシートシール（１２ａ，１２ｃ，１２ｄは上左右辺のシール部を示す）を施すことにより収納袋１０-5を構成した点と、フィルム１１’の下辺折り返し部分に易引裂部１１ａ’を下辺に沿って帯状に設けた点にある。この易引裂部１１ａ’はセラミクスや金属等から成る硬質粒状物を含むコーティング層から成り、フィルム１１’の前記折り返し部分に相当する部分の表面に予め形成されている。他の構成は第１実施形態に係る収納袋１０と同じであるため同一符号を用いその説明を省略する。
【００６１】
この収納袋１０-5にあっては、１回目の開封作業が完了した後の収納袋の左辺シール部１２ｃの端縁が収納袋１０-5の下端縁と合致するように該収納袋の左上部分を折り曲げて重ねた後、第１サブノッチ１３ｃを基点として収納袋の右辺部分及び１回目の開封作業により生じた開封口近傍部分を折り曲げ状態のままほぼ直線的に引き裂いて切り取ることにより、２回目の開封を行うことができる。２回目の開封作業が完了した後の収納袋は図５及び図６と同様にその上辺及び左辺が連なった状態で開封したものとなるため、開封後の収納袋の一方のフィルム１１を他方から引き離す等して開封口を拡げることにより、その中に残っている内容物を余すことなく取り出すことができる。
【００６２】
このように、第６実施形態に係る収納袋１０-5によれば、第２サブノッチ１３ｄ及び下辺シール部１２ｂを排除し該第２サブノッチ１３ｄの代わりとなる易引裂部１１ａ’を収納袋１０-5の下辺折り返し部分に帯状に設けてあるので、２回目の開封を行うに際して第１実施形態に係る収納袋１０のように第１サブノッチ１３ｃと第２サブノッチ１３ｄとを位置合わせする必要がなく、この位置合わせに伴う手間を排除して２回目の開封作業の簡便性を高めることができる。他の作用効果は第１実施形態に係る収納袋１０で得られる作用効果と同じである。
【００６３】
尚、前述の第６実施形態では、左辺シール部１２ｃの端縁に第１サブノッチ１３ｃを有するものを示したが、第２実施形態で示した第３サブノッチ１３ｅを第１サブノッチ１３ｃと線対称となるように右辺に設ければ２回目の開封作業を行う際の開封場所を内容物の残留状態に応じて任意に選択できるし、第３実施形態で示したようにこの第３サブノッチ１３ｅの右辺下端からの距離を短くすれば２回目の開封作業を行う際に開封後の収納袋の大きさ及び開封場所を内容物の残留状態に応じて任意に選択できるし、第４実施形態で示したようにこの第３サブノッチ１３ｅを第１サブノッチ１３ｃと同じ辺に設ければ２回目の開封作業を行う際に開封後の収納袋の大きさを内容物の残留量に応じて任意に選択できる。
【００６４】
また、収納袋１０-5の下辺折り返し部分に易引裂部１１ａ’を設けたものを示したが、１枚のフィルム１１’を左右方向の中心で押し返して上辺，下辺及び右辺に所定幅でシートシールを施して収納袋１０-5を構成すれば、収納袋１０-5の左辺折り返し部分に同様の易引裂部１１ａ’を設けて第１サブノッチ１３ｃを排除することも可能であり、この場合でも第２サブノッチ１３ｄと易引裂部１１ａ’との協働によって２回目の開封作業を前記同様に行うことができる。第２，第３実施形態のサブノッチ構成を適用する場合には収納袋１０-5の左右辺折り返し部分に易引裂部１１ａ’を帯状に設けて第１サブノッチ１３ｃと第３サブノッチ１３ｅを排除すればよく、第４実施形態のサブノッチ構成を適用する場合には収納袋１０-5の左辺折り返し部分に易引裂部１１ａ’を帯状に設けて第１サブノッチ１３ｃと第３サブノッチ１３ｅを排除すればよく、何れの場合もサブノッチの数を増加すれば３以上の異なる形態にて２回目の開封を行うことができる。
【００６５】
さらに、１回目の開封作業を行った後に２回目の開封作業を行うケースを例示したが、１回目の開封を行わずに最初に２回目の開封作業を行って内容物の取り出しを行うようにしても差し支えない。
【００６６】
さらに、収納袋１０-5の左右辺上部に第１，第２メインノッチ１３ａ，１３ｂをそれぞれ設けたものを示したが、第１，第２メインノッチ１３ａ，１３ｂを何れか一方のみとしても１回目の開封作業を行うことができる。
【００６７】
以上、前述の第１〜第６実施形態では、フィルム１１，１１’として２軸延伸フィルムとシーラントフィルムとを含む複層構造のラミネートフィルムを用いたものを示したが、当該ラミネートフィルムには、図７で説明した表面フィルムと中間フィルムとシーラントフィルムとを備えた３層構造のラミネートフィルムの他、中間フィルムを有しない２層構造のラミネートフィルムや、中間フィルムを２層以上とした４層以上の層構造を有するラミネートフィルム等が適宜使用でき、また、アルミ蒸着やシリカ蒸着やアルミナ蒸着等を施したプラスチックフィルムを含むラミネートフィルムや、アルミニウム箔や紙や不織布等から成る非プラスチックフィルムを含むラミネートフィルムも適宜使用できる。
【００６８】
また、前述の第１〜第６実施形態では、正面形状が矩形を成す収納袋に本発明を適用したものを例示したが、各実施形態で示した収納袋は必ずしも矩形である必要はなく、正面形状が矩形に類似した形状やそれ以外の形状を成す収納袋に本発明を適用しても前記同様の作用効果を得ることができる。
【００６９】
さらに、前述の第１〜第６実施形態では、４辺シールタイプまたは３辺シールタイプの収納袋を例示したが、図１９に示した合掌タイプの収納袋２０（内容物の図示を省略）や、図２０に示したガゼットタイプの収納袋３０（内容物の図示を省略）や、図２１に示したスタンディングパウチタイプの収納袋４０（内容物の図示を省略）に本発明を適用しても前記同様の作用効果を得ることができる。
【００７０】
例えば、図１９に示した合掌タイプの収納袋３０で２回目の開封を可能とするには第６実施形態で説明したサブノッチ＋易引裂部の構成が適用できる。即ち、収納袋３０の左辺２３の折り返し部分と右辺２４の折り返し部分の少なくとも一方に易引裂部１１ａ’の同様の易引裂部（図示省略）を設け、下辺２２のシール部の端縁にサブノッチ（図示省略）を少なくとも１個設けておけば、１回目の開封作業が完了した後の収納袋の左辺２３または右辺２４が下辺２２と合致するように該収納袋を折り曲げて重ねた後、下辺２２のサブノッチを基点として収納袋を折り曲げ状態のままほぼ直線的に引き裂いて切り取ることにより、２回目の開封を行うことができる。この２回目の開封時には左右中央に存する接合片２５が引裂時の抵抗となるが、接合片２５の少なくとも一方に第５実施形態で説明した易開封部１１ａと同様の易引裂部を設けておけば抵抗を減少して開封作業を容易に行うことができる。
【００７１】
また、図２０に示したガゼットタイプの収納袋３０で２回目の開封を可能とするには第６実施形態で説明したサブノッチ＋易引裂部の構成が適用できる。即ち、収納袋３０の左辺３３の２つの折り返し部分と右辺３４の２つの折り返し部分の少なくとも一方に易引裂部１１ａ’の同様の易引裂部（図示省略）を設け、下辺２２のシール部の端縁にサブノッチ（図示省略）を少なくとも１個設けておけば、１回目の開封作業が完了した後の収納袋の左辺３３または右辺３４が下辺３２と合致するように該収納袋を折り曲げて重ねた後、下辺３２のサブノッチを基点として収納袋を折り曲げ状態のままほぼ直線的に引き裂いて切り取ることにより、２回目の開封を行うことができる。この２回目の開封時には左右中央に存する接合片３５が引裂時の抵抗となるが、接合片３５の少なくとも一方に第５実施形態で説明した易開封部１１ａと同様の易引裂部を設けておけば抵抗を減少して開封作業を容易に行うことができる。
【００７２】
さらに、図２１に示したスタンディングパウチタイプの収納袋４０で２回目の開封を可能とするには、第１〜第４実施形態で説明したサブノッチの構成が適用できる。即ち、収納袋の左辺４３と右辺４４の少なくとも一方にサブノッチ（図示省略）を少なくとも１個設け、２つの下辺４２にサブノッチ（図示省略）を少なくとも１個設けておけば、１回目の開封作業が完了した後の収納袋の左辺３３または右辺３４のサブノッチが下辺３２のサブノッチと合致するように該収納袋を折り曲げて重ねた後、両サブノッチを基点として収納袋を折り曲げ状態のままほぼ直線的に引き裂いて切り取ることにより、２回目の開封を行うことができる。
【図面の簡単な説明】
【００７３】
【図１】本発明の第１実施形態に係る収納袋を正面側から見た図である。
【図２】図１に示した収納袋の開封方法の説明図である。
【図３】図１に示した収納袋の開封方法の説明図である。
【図４】図１に示した収納袋の開封方法の説明図である。
【図５】図１に示した収納袋の開封方法の説明図である。
【図６】図１に示した収納袋の開封方法の説明図である。
【図７】図１に示した収納袋に使用可能なフィルム層構造の一例を示す図である。
【図８】本発明の第２実施形態に係る収納袋を正面側から見た図である。
【図９】図８に示した収納袋の開封方法の説明図である。
【図１０】図８に示した収納袋の開封方法の説明図である。
【図１１】本発明の第３実施形態に係る収納袋を正面側から見た図である。
【図１２】図１１に示した収納袋の開封方法の説明図である。
【図１３】図１１に示した収納袋の開封方法の説明図である。
【図１４】本発明の第４実施形態に係る収納袋を正面側から見た図である。
【図１５】図１４に示した収納袋の開封方法の説明図である。
【図１６】図１４に示した収納袋の開封方法の説明図である。
【図１７】本発明の第５実施形態に係る収納袋を正面側から見た図である。
【図１８】本発明の第６実施形態に係る収納袋を正面側から見た図である。
【図１９】本発明を適用可能な合掌タイプの収納袋を示す斜視図である。
【図２０】本発明を適用可能なガゼットタイプの収納袋を示す斜視図である。
【図２１】本発明を適用可能なスタンディングパウチタイプの収納袋を示す斜視図である。
【符号の説明】
【００７４】
１０，１０-1，１０-2，１０-3，１０-4，１０-5…収納袋、１０ａ…１回目の開封を完了した後の収納袋、１０ｂ，１０ｃ，１０ｄ，１０ｅ…２回目の開封を完了した後の収納袋、１１，１１’…フィルム、１１ａ，１１ａ’…易引裂部、１２ａ〜１２ｄ…シール部、１３ａ…第１メインノッチ、１３ｂ…第２メインノッチ、１３ｃ…第１サブノッチ、１３ｄ…第２サブノッチ、１３ｅ…第３サブノッチ、１３ｆ…第４サブノッチ、２０，３０，４０…収納袋。
【図１】
2005162241.tif 000003
【図２】
2005162241.tif 000004
【図３】
2005162241.tif 000005
【図４】
2005162241.tif 000006
【図５】
2005162241.tif 000007
【図６】
2005162241.tif 000008
【図７】
2005162241.tif 000009
【図８】
2005162241.tif 000010
【図９】
2005162241.tif 000011
【図１０】
2005162241.tif 000012
【図１１】
2005162241.tif 000013
【図１２】
2005162241.tif 000014
【図１３】
2005162241.tif 000015
【図１４】
2005162241.tif 000016
【図１５】
2005162241.tif 000017
【図１６】
2005162241.tif 000018
【図１７】
2005162241.tif 000019
【図１８】
2005162241.tif 000020
【図１９】
2005162241.tif 000021
【図２０】
2005162241.tif 000022
【図２１】
2005162241.tif 000023